(57)【要約】【解決手段】  一本物ポールの先部に、引っ掛け部と挿入棒、本体に、着脱可能な離隔安定部、及び複数の足掛けステップを設ける。通常は、物干し竿等の物掛けとして使用する。【選択図】図１
2005137834.tif 000002
【特許請求の範囲】
【請求項１】
一本物のポールの先端に、引っ掛け部、後端に、引っ掛け受け部、その間に複数の足掛けステップを設けたことを特徴とする避難梯子兼用の物干し竿
【請求項２】
前記先端の引っ掛け部は、半円形状で、後端の引っ掛け受け部は、円形状に曲形であり、足掛けステップは、複数設けられた丸い皿形であることを特徴とする請求項１記載の避難梯子兼用の物干し竿
【発明の詳細な説明】
【技術分野】
【０００１】  この発明は、避難等に用いる物干し竿の形状に関する。
【背景技術】
【０００２】  従来の避難等に用いる物干し竿は、図２に示すように、メーンポール５とサブポール６を結合し、片付きステップ７を取り付け、引っ掛け金具８を装着するものである。また、図３の携帯型避難ロープでは、ロープ９に足掛けステップ４を設けられた避難専用のものである。
【特許文献１】特開２００２−３０９８８１号公報
【特許文献２】特開２００１−１８７１６０号公報
【発明の開示】
【発明が解決しようとする課題】
【０００３】  しかしながら、以上の技術によれば、ポール式等は、面倒な組み立てや準備で時間を要し、重くなってしまい、取り扱いが不便であった。また、ロープ式等では、足掛けがフラつき不安定で老化にも弱かった。以上、共通して下階方向へ避難するだけであり、上階等へ救助に行く道具ではなかった。そこで、この発明は、避難梯子が組み立て等の準備時間を必要とせず、軽く、安定した足掛けと、多用途の使用ができる物干し竿を提供することを課題とする。
【課題を解決するための手段】
【０００４】  以上の課題を解決するために、第一発明は、一本物のポールの先端に、引っ掛け部、後端に、引っ掛け受け部、その間に複数の足掛けステップを設けたことを特徴とする避難梯子兼用の物干し竿である。また、第２発明は、ポール先端の引っ掛け部は、半円形状で、後端の引っ掛け受け部は、円形状に曲形であり、足掛けステップは、複数設けられた丸い皿形であることを特徴とする避難梯子兼用の物干し竿である。
【発明の効果】
【０００５】  第一発明、によれば、一本物のポールの先端に、引っ掛け部、後端に、引っ掛け受け部、その間に複数の足掛けステップを設けたことで、その場で、そのまま直ちに使用でき、足掛けも安定している。また、軽量で片手操作もでき、引っ掛け式のため、上階への避難、一本で連続使用、二本あれば連結の使用も容易にできる。【０００６】  第二発明、によれば、ポールの先端の引っ掛け部は、半円形状に曲形であることで、ベランダの手すり、窓のサン等の形状に影響なく、半円内であれば、ずれないで固定できる。後端の引っ掛け受け部は、円形状に曲形であることで、二本目のポール先端の引っ掛け部を引っ掛けやすくするとともに、人がずり落ちても、危害がない形状である。足掛けステップは、丸い皿形であることから、足が外側へ滑りにくく安心である。
【発明を実施するための最良の形態】
【０００７】  この発明の一実施形態を、図１に示す。
避難梯子兼用の物干し竿の本体１は、ステンレス及びアルミ製であり、この本体１の先端と後端には、ステンレス及びアルミ製の引っ掛け部２と、引っ掛け受け部３が一体的に設けられている。この引っ掛け部２と引っ掛け受け部３の間、本体１には、ステンレス及びアルミ製の複数の足掛けステップ４が設けられている。【０００８】「実施形態の効果」
この実施形態によれば、一本物のポールであることから、通常は物干し竿として使用し、その場合、足掛けステップ４は、風によるハンガ等の片寄りを防止し、洗濯物の早乾の効果に役立つ、また、常時使用できる場所に位置することで、面倒な組み立てや準備の必要がなく、その場で、そのまま直ちに、引っ掛け部をベランダの手すりや窓のサン等に引っ掛け、避難梯子として下階へ、又は、上階へ避難できる。【０００９】  この際、取り扱いは片手でもできる軽さなので、セットに悩む事もなく、使い方によっては、下から上の階の者を救出することもでき、幅広く多くの人達が簡単に使用でき、人命救助の可能性が高くなる。材質については、ロープ等軟質ではないので、足掛けステップ４が安定し、安心して片足でも足掛けができるとともに、老化に強く、耐久性に優れる。【００１０】  形状については、ポールの先端の引っ掛け部は、半円形状に曲形であることで、ベランダの手すり、窓のサン等の形状に影響なく、半円内であれば、ずれないで固定できる。後端の引っ掛け受け部は、円形状に曲形であることで、二本目のポール先端の引っ掛け部を引っ掛けやすくするとともに、人がずり落ちても、危害がない形状である。足掛けステップは、丸い皿形であることから、足が外側へ滑りにくく安心である。【００１１】  保管場所についても悩む必要がない。さらに、物干し竿としてではなく、物掛けやインテリアとして、室内窓近くに位置すればビル等の窓からでも、避難梯子兼用の物干し竿で窓ガラスを割って避難することが可能である。【００１２】「他の実施形態」
図１の実施形態では、引っ掛け部２は、ステンレス及びアルミ製であることで、他の実施形態では、傷防止のカバーを設けたものでも良い。また、引っ掛け部２と引っ掛け受け部３は、楕円形状及び角状でも良い。
【図面の簡単な説明】
【００１３】
【図１】この発明の一実施形態を示す斜視図である。
【図２】従来技術を示す斜視図である。
【図３】従来技術を示す斜視図である。
【符号の説明】
【００１４】１  避難梯子兼用の物干し竿本体        ２  引っ掛け部
３  引っ掛け受け部                    ４  足掛けステップ
５  メーンポール                      ６  サブポール
７  片付きステップ                    ８  引っ掛け金具
９  ロープ
【図１】
2005137834.tif 000003
【図２】
2005137834.tif 000004
【図３】
2005137834.tif 000005
【手続補正書】
【提出日】平成16年7月16日(2004.7.16)
【手続補正１】
【補正対象書類名】特許請求の範囲
【補正対象項目名】全文
【補正方法】変更
【補正の内容】
【特許請求の範囲】
【請求項１】
一本物ポールの先部に、引っ掛け部と挿入棒、本体に、着脱可能な離隔安定部、及び複数の足掛けステップを設けたことを特徴とする多目的避難梯子
【請求項２】
前記先部の引っ掛け部は、本体と直角で側面に複数の開口部を開通させ、その引っ掛け部内部には、先端キャプ一体型の挿入棒を収納し、また、着脱可能な離隔安定部は、ハンガ型であり、足掛けステップは、複数設けられた左右に突出する突き抜けの棒状であることを特徴とする請求項１記載の多目的避難梯子
【手続補正３】
【補正対象書類名】明細書
【補正対象項目名】０００１
【補正方法】変更
【補正の内容】
【０００１】  この発明は、避難等に用いる梯子の形状に関する。
【手続補正４】
【補正対象書類名】明細書
【補正対象項目名】０００２
【補正方法】変更
【補正の内容】
【０００２】  従来の避難等に用いる梯子は、図２に示すように、メーンポール１０とサブポール６を結合し、片付きステップ７を取り付け、引っ掛け金具８を装着するものである。また、図３の携帯型避難ロープでは、ロープ９に足掛けステップ５を設けられた避難専用のものである。【特許文献１】特開２００２−３０９８８１号公報
【特許文献２】特開２００１−１８７１６０号公報
【手続補正５】
【補正対象書類名】明細書
【補正対象項目名】０００４
【補正方法】変更
【補正の内容】
【０００４】  以上の課題を解決するために、第一発明は、一本物ポールの先部に、引っ掛け部と挿入棒、本体に、着脱可能な離隔安定部、及び複数の足掛けステップを設けたことを特徴とする多目的避難梯子である。また、第２発明は、一本物ポールの先部の引っ掛け部は、本体と直角で側面に複数の開口部を開通させ、その引っ掛け部内部には、先端キャプ一体型の挿入棒を収納し、着脱可能な離隔安定部は、ハンガ型であり、足掛けステップは、複数設けられた左右に突出する、突き抜けの棒状であることを特徴とする多目的避難梯子である。
【手続補正６】
【補正対象書類名】明細書
【補正対象項目名】０００５
【補正方法】変更
【補正の内容】
【０００５】  第一発明、によれば、一本物ポールの先部に、引っ掛け部と挿入棒、本体に、着脱可能な離隔安定部、及び複数の足掛けステップを設けたことで、通常は、そのまま物干し竿として使用し、非常時は、その場で直ちに避難梯子として使用できる。着脱可能な離隔安定部は、避難梯子として使用する際足先を壁等から離し安全を確保するとともに、足掛けステップの揺れを防止するものである。また、軽量で片手操作もでき、引っ掛け式のため、上下階への避難、一本の連続使用も容易にでき、救出もできる多目的避難梯子である。
【手続補正７】
【補正対象書類名】明細書
【補正対象項目名】０００６
【補正方法】変更
【補正の内容】
【０００６】  第二発明、によれば、一本物ポールの先部の引っ掛け部は、本体と直角で側面に複数の開口部を開通させ、その引っ掛け部内部には、先端キャプ一体型の挿入棒を収納し、着脱可能な離隔安定部は、ハンガ型あり、足掛けステップは、複数設けられた左右に突出する突き抜けの棒状であることで、通常は、着脱可能な離隔安定部はハンガとして、複数設けられた足掛けステップは洗濯物の片寄り防止と靴等小物掛けとして利用し、非常時は、引っ掛け部の側面に複数の開口部がある中から一つを選び、先端キャプ一体型の挿入棒をベランダの手すり及び窓のサン等の形状に合わせて適宜の開口部へ挿入し、ポール本体をベランダの手すり及び窓のサン等に固定する。着脱可能な離隔安定部をハンガ型にすることで、ポール本体と壁の間を離隔し足掛かりを良くするとともに足掛けステップの揺れを防止し安全である。足掛けステップは、左右に突出する、突き抜けの棒状で強度があり、上向きに傾斜があるため、足が外側へ滑りにくく安心である。
【手続補正８】
【補正対象書類名】明細書
【補正対象項目名】０００７
【補正方法】変更
【補正の内容】
【０００７】  この発明の一実施形態を、図１に示す。  多目的避難梯子の本体１は、ステンレス製であり、この一本物ポールの先部には、ステンレス製の引っ掛け部２と、その内部に先端キャプ一体型の挿入棒３が収納的に設けられている。本体１には、着脱可能な離隔安定部４を硬質な物でハンガ型にして設け、本体１全般には、ステンレス製の複数の足掛けステップ５が、左右に突出する突き抜けた状態で設けられている。
【手続補正９】
【補正対象書類名】明細書
【補正対象項目名】０００８
【補正方法】変更
【補正の内容】
【０００８】「実施形態の効果」  この実施形態によれば、一本物のポールであることから、通常は物干し竿として使用し、その場合、着脱可能な離隔安定部４は服掛けのハンガとして、足掛けステップ５は風による洗濯物の片寄り防止になり早乾きの効果に役立つ。また、非常時においては面倒な組み立てや準備の必要がなく、ベランダ等の場所に位置することで、その場で直ちに引っ掛け部２をベランダの手すりや窓のサン等に引っ掛け、避難梯子として下階へ、又は、上階へ避難できる。この際、引っ掛け部２の側面にある複数の開口部１１から、色々なベランダの手すり及び窓のサン等の形状に合わせて一つの開口部１１を選び、その一つの選んだ開口部１１へ先端キャプ一体型の挿入棒３を挿入することにより固定が簡単にできる。
【手続補正１０】
【補正対象書類名】明細書
【補正対象項目名】０００９
【補正方法】変更
【補正の内容】
【０００９】  この際、取り扱いは片手でもできる軽さなので、セットに悩む事もなく、引っ掛けるだけなので、避難だけではなく、上下階の者を救出に行くこともでき、人命救助の可能性が高くなる。材質については、ロープ等軟質ではないので、足掛けステップ５が安定し、安心して足掛けができるとともに、老化に強く、耐久性に優れる。
【手続補正１１】
【補正対象書類名】明細書
【補正対象項目名】００１０
【補正方法】変更
【補正の内容】
【００１０】  形状については、ポールの先部の引っ掛け部２は、本体１と直角であり、側面に複数の開口部１１を開通させ、その引っ掛け部２内部には、先端キャプ一体型の挿入棒３を収納式に設けている。着脱可能な離隔安定部４は硬質な物でハンガ型にして設け、足掛けステップ５は、左右に突出する、突き抜けの棒状で強度があり、上向きに傾斜があるため、足が外側へ滑りにくく安心である。
【手続補正１２】
【補正対象書類名】明細書
【補正対象項目名】００１１
【補正方法】変更
【補正の内容】
【００１１】  通常物干し竿として使用するため、保管場所についても悩む必要がない。また、物干し竿としてだけではなく、室内において、物掛けやインテリアとして窓近くに位置すればビル等の窓からでも、多目的避難梯子で窓ガラスを割って避難する事が可能である。
【手続補正１３】
【補正対象書類名】明細書
【補正対象項目名】００１２
【補正方法】変更
【補正の内容】
【００１２】「他の実施形態」  図１の実施形態では、引っ掛け部２は、ステンレス製であることで、他の実施形態では、傷防止のカバーを設けたものでも良い。また、引っ掛け部２と本体１の直角に曲げた箇所は、直角の連結部を設けて付けても良い。
【手続補正１４】
【補正対象書類名】明細書
【補正対象項目名】００１４
【補正方法】変更
【補正の内容】
【００１４】      １  本体                              ２  引っ掛け部      ３  挿入棒                            ４  着脱可能な離隔安定部      ５  足掛けステップ                    ６  サブポール      ７  片付きステップ                    ８  引っ掛け金具      ９  ロープ                          １０  メーンポール    １１  開口部
【手続補正１５】
【補正対象書類名】図面
【補正対象項目名】全図
【補正方法】変更
【補正の内容】
【図１】
2005137834.tif 000006
【図２】
2005137834.tif 000007
【図３】
2005137834.tif 000008